(57)【要約】      （修正有）【課題】工作機械の操作状況を遠方から広い範囲にわたって視認しやすいマシニングセンタを提供する。【解決手段】マシニングセンタにおいて、工作機械の加工部を覆うガード３が設けられている。ガードの正面に開閉可能に操作用ドア１が設けられる。ガードの表面から上下方向にわたって隆起させた形に操作用ドアを形成する。操作用ドアの開閉のときに使用する取手１０が、操作用ドアに設けられている。その操作用ドアは、中央部が最も高く、上下端に向けて低くなる弓形の湾曲となる形状を有する。ガードにガード表面から突き出る半円筒形等のＬＥＤ表示手段６が設けられる。操作用ドアと機械の一部に設けたヘッドカバーと機械の一部に設けた操作盤１２の裏面カバーを炭素繊維で作る。【選択図】図５
0003179056.tif 000002
【実用新案登録請求の範囲】
【請求項１】
工作機械の加工部を覆うガードが設けられており、そのガードの正面に開閉可能に操作用ドアが設けられ、その操作用ドアは、ガードの表面から上下方向にわたって隆起させた形に形成し、さらに、ガードにＬＥＤ表示手段が設けられ、かつ、操作用ドアが炭素繊維で作られており、かつ、機械の一部に設けたヘッドカバーと機械の一部に設けた操作盤の裏面カバーが炭素繊維で作られているマシニングセンタ。
【考案の詳細な説明】
【技術分野】
【０００１】
本考案は、工作機械の加工部を覆うガードを設け、そのガードの正面に開閉可能に操作用ドアを設けたマシニングセンタに関する。
【背景技術】
【０００２】
従来、この種の操作用ドアは公知である。例えば、特許文献１及び２を参照。
【０００３】
ガードに設けた操作用ドアにおいて、工作機械本体の加工部の正面の平坦な固定部分に、操作用ドアから離して細長かつ平面的なＬＥＤ表示手段を上下方向に設けることは公知である。この場合、機械本体の加工部の正面がよく見える位置であれば、機械の遠方から、ＬＥＤ表示手段が平面的に形成されていても、表示の有無を視認することができた。しかし、機械本体の加工部の正面がよく見えない位置（例えば、機械本体の側方の遠く離れた位置）からは、ＬＥＤ表示手段の表示の有無を視認することが困難であった。そのため、ＬＥＤ表示手段の表示内容を確認できなかったり、表示内容の判断ミスをしたりする欠点があった。
【０００４】
また、従来の機械本体の加工部の操作用ドアは、ドア材料がスチールや一般の樹脂（ＦＲＰ）のものが主流であった。スチールの場合、（ａ）重い、（ｂ）塗装が必要、（ｃ）傷がつきやすい、等の欠点があった。一般の樹脂（ＦＲＰ）の場合、（ｄ）強度が低く、破壊されやすい、（ｅ）表面が軟かく、傷つきやすい、等の欠点があった。
【先行技術文献】
【特許文献】
【０００５】
【特許文献１】特許公開２００８−２０７２７０
【特許文献２】特許公開２００６−２０５３３７
【考案の概要】
【考案が解決しようとする課題】
【０００６】
本考案の目的は、工作機械の操作状況を遠方から広い範囲にわたって視認しやすいマシニングセンタを提供することである。
【課題を解決するための手段】
【０００７】
本考案の解決手段を例示すると、実用新案登録請求の範囲に記載のとおりである。
【考案を実施するための形態】
【０００８】
本考案によれば、工作機械本体の加工部を覆うガードが設けられ、そのガードの正面に上下方向にわたって湾曲して隆起させた操作用ドアを設ける。
【０００９】
さらに、工作機械本体のガード（好ましくはその正面上方）にＬＥＤ表示手段を設ける。あるいは、開閉ドア隆起部の２つの側面の片方又は両方にＬＥＤ表示手段を設ける。このようにＬＥＤ手段を設けると、操作用ドアの開閉によって機械の操作状況を確認できるとともに、ＬＥＤ表示手段によって機械の操作状況を遠方から広い範囲にわたって視認しやすくなる。
【００１０】
操作用ドアは、機械本体の正面のガード表面から上下方向にわたって湾曲（好ましくは弓状に湾曲）して隆起していて、機械の正面において一番出っ張っている部分の１つである。機械本体の正面のガード表面又は開閉ドアの隆起部にＬＥＤ表示手段を設けると、遠方からの視認が広い範囲にわたって容易かつ正確にできる。機械から遠方の種々の位置から表示の有無や内容を容易かつ正確にできる。
【００１１】
また、操作用ドア、ヘッドカバー及び操作盤の裏面カバーを炭素繊維（本願でいう炭素繊維は広義に解すべきであり、炭素繊維強化プラスチック（Ｃ−ＦＲＰ：Ｃａｒｂｏｎ  Ｆｉｂｅｒ  Ｒｅｉｎｆｏｒｃｅｄ  Ｐｌａｓｔｉｃｓ）を含む)で作ると、（１）劣化がなく、長く品質を保つことが出来る、（２）スチールに比べて剛性が高く、壊われにくい、（３）材料が硬く、表面に傷がつきにくい、（４）比重が軽く、小さな力で開閉が出来る、（５）表面に塗装することなく、型で成形し、そのまま使用出来る、等の効果が得られる。（６）カーボンのテクスチャ（材質感や素材感）であるので、肌合が良く、高級感が感じられる。
【００１２】
本考案は、工作機械本体の加工部を覆って安全を確保するガードが設けられているマシニングセンタに関する。ガードの正面には、操作用ドアが配置されている。この操作用ドアの前面が上下方向に亘って弓状に湾曲して隆起している。操作用ドアには開閉のために使用するために、上下方向に延びる弓型に湾曲した棒状の把手又は取手が設けられている。
【００１３】
ガードの下方には、表面を凹凸の横波形状にしたスカートが備えられている。ガードの正面上方において、操作用ドア近くに隣接して又はそこから遠く離れて、ＬＥＤ表示手段、例えばシグナルライトが装着されている。そのＬＥＤ表示手段は、ガード表面から突き出る形状、とくに半円筒形や多角形その他の断面形状を有している。
【００１４】
操作用ドアの２つの側面の片方のみにＬＥＤ表示手段を設けてもよいが、操作用ドアの２つの側面の両方にＬＥＤ表示手段を設けることもできる。
【００１５】
操作用ドアの側面は、機械本体のガード（例えばスプラッシュガード）の平坦な表面に対し直角に隆起するように形成してもよいが、適当な角度（例えば４５°前後）を傾斜面となるようにしてもよい。この場合、機械本体の斜め方向から見ても、操作用ドア近くに設けたＬＥＤ表示手段の表示内容を視認しやすい。
【００１６】
好ましくは、操作用ドアの各側面の上方端の近くに又はそこから水平方向に遠く離して、ＬＥＤ表示手段が設けられる。
【００１７】
好ましくは、ガード表面に設けるＬＥＤ手段は、半円筒形状又はそれに類似の形状に形成されている。
【００１８】
操作用ドアの側面の上方端近くに隣接して、又はそこから水平方向に離して、上下方向に延びるように半円筒形状のＬＥＤ表示手段をガード表面から突起する形で設けるのが好ましい。
【００１９】
機械の正面において広範囲にわたる視認効果を確実にするために、必要に応じて、操作用ドアの側面が低くなっている上端領域のみを傾斜面にしたり、あるいは、操作用ドアの側面から離れたところに半円筒形のＬＥＤ表示手段を設けたりすることもできる。
【００２０】
ＬＥＤ手段は、複数の色で表示できるようにすると、表示内容を色別に区別可能になる。
【００２１】
とくに、ガードの表面から突き出る形、例えば半円筒形又は多角形の断面形状を有するＬＥＤ表示手段を設けるのが好ましい。さらに、突き出る形にＬＥＤ表示手段を設け、かつ、色別表示をするのが好ましい。
【００２２】
例えば、ドアの側面を平坦なガード表面に対し傾斜させ、かつ、ガードの上端近くに、ガード表面から突き出る半円筒形その他の断面形状を有するＬＥＤ表示手段を設けると、遠方より非常に広い範囲にわたって正確かつ確実に視認することが可能である。
【００２３】
好ましくは、機械の加工中は、ドア閉とし、アラーム等の警報を色で識別する。例えば、色別警告は、次のようにすることができる。
【００２４】
１）アラームがあり、かつ赤色のときは、異常障害等が発生したことを示す。
【００２５】
２）アラームがあり、かつ黄色のときは、加工完了を示す。
【００２６】
３）アラームがあり、かつ緑色のときは、正常に加工されていることを示す。
【００２７】
好ましくは、ドアの材質を炭素繊維にする際に、強化プラスチックを用いる炭素繊維にしたり、ドアの材質を炭素繊維にして、表面を硬質にしたりすると、見映が良く、汚れがつきにくい。
【図面の簡単な説明】
【００２８】
【図１】本考案の実施例によるマシニングセンタの正面を示す斜視図である。
【図２】図１のマシニングセンタを示す正面図である。
【図３】図１のマシニングセンタの一部の右側面を示す。
【図４】図３のマシニングセンタにおいて操作盤がマシニングセンタの側面位置に回動された状態を部分的に示す。
【図５】図１のマシニングセンタを示す概略正面図である。
【図６】図１のマシニングセンタを示す概略右側面図である。
【図７】本考案の別の実施例を示す。
【図８】本考案の更に別の実施例を示す。
【図９】図１のマシニングセンタにおけるヘッドカバーをよく見えるように示す斜視図である。
【図１０】図１のマシニングセンタにおける操作盤の裏面カバーをよく見えるように示す斜視図である。
【実施例】
【００２９】
図１〜６は、本考案の１つの実施例によるマシニングセンタを示す。
【００３０】
図１〜６において、工作機械の加工部の正面に開閉可能に操作用ドア１を設ける。操作用ドア１は、機械本体２のガード３の表面から上下方向にわたって隆起させる。かつ、操作用ドア１は、機械本体２のガード３の上下端の間で延びるように、とくに中央部が最も高く、上下端に向けて低くなる弓形の湾曲になるように形成する。
【００３１】
操作用ドア１の２つの側面５の片方のみにＬＥＤ表示手段６を設けてもよいが、操作用ドア１の２つの側面５の両方にＬＥＤ表示手段６を設けてもよい。
【００３２】
ＬＥＤ表示手段６は、操作用ドア１の側面５に隣接して設けてもよいし、そこから離して設けてもよい。
【００３３】
ＬＥＤ手段６は、ガード３の表面から突き出るように、半円筒形状に形成するのが好ましい。ＬＥＤ手段６の長さは、半円筒の幅（例えば直径）の数倍にすることが好ましい。
【００３４】
ＬＥＤ手段６は、複数の色で表示して、表示内容を色別に区別できるようにするのが好ましい。
【００３５】
ドアの材質は炭素繊維である。
【００３６】
操作用ドア１には、ドア１の開閉のときに使用する取手１０が設けられている。好ましくは、取手１０は、操作用ドア１の上下方向の隆起形状に似た形状（中央部が最も高く、上下端に向けて低くなる弓形の湾曲となる形状）を有し、操作用ドア１の側面に設けられていて、上下方向に延びている。
【００３７】
ガード３の下方には、表面形状が凹凸状の横波をしたスカート１１が設けられている。
【００３８】
操作用ドア１の正面には矩形の窓７が形成されている。この窓７には３層ガラスが設けられて、加工中の安全を確保している。
【００３９】
操作盤１２は、回動前の状態を示す図１〜３と回動後の状態を示す図４とを対比するとよく理解されるように、必要に応じて、工作機械の正面位置に設定されている図１〜３の状態から、工作機械の右側面位置に、手動又は自動で回動されるようになっている。符号１３は、操作盤１２の回動軸を示す。
【００４０】
図７は、本考案の別の実施例を示す。
【００４１】
図７において、機械の正面に開閉可能に機械操作用開閉ドア２１を設ける。機械本体２２のガード又はカバー２３の表面から隆起させた形に、かつ、機械本体２２の上下方向に延長する形に、開閉ドア隆起部２４を形成する。その開閉ドア隆起部２４の２つの側面２５の各々にＬＥＤ表示手段２６を設ける。
【００４２】
開閉ドア隆起部２４の２つの側面２５の片方のみにＬＥＤ表示手段２６を設けてもよいが、好ましくは、開閉ドア隆起部２４の２つの側面１５の両方にＬＥＤ表示手段２６を設ける。
【００４３】
開閉ドア隆起部２４の各側面２５の前方及び後方の両エッジ間の中間領域に、ＬＥＤ表示手段２６が設けられている。
【００４４】
ＬＥＤ手段２６は、線状又は帯状に形成されている。
【００４５】
ＬＥＤ手段２６は、複数の色で表示して、表示内容を色別に区別できるようになっている。
【００４６】
ドアの材質は炭素繊維である。
【００４７】
図８は、本考案の更に別の実施例を示す。
【００４８】
図８において、機械の正面に開閉可能に設けた機械操作用開閉ドア２１において、機械本体２２のカバー又はガード２３の表面から隆起させた形に、かつ、機械本体２２の上下方向に延びる形に開閉ドア隆起部２４が形成されている。
【００４９】
開閉ドア隆起部２４の両側面２５の前方エッジにＬＥＤ表示手段２７が設けられている。ＬＥＤ手段２７は、線状又は帯状に形成されている。
【００５０】
開閉ドア隆起部２４の２つの側面２５の片方のみにＬＥＤ表示手段２７を設けてもよいが、開閉ドア隆起部２４の両側面にＬＥＤ表示手段２７を設けている。
【００５１】
ＬＥＤ手段２７は、複数の色で表示して、表示内容を色別に区別できるものである。
【００５２】
ドアの材質は炭素繊維である。
【００５３】
図９は、図１のマシニングセンタにおけるヘッドカバーをよく見えるように示す斜視図であり、図１０は、図１のマシニングセンタにおける操作盤の裏面カバーをよく見えるように示す斜視図である。図９〜１０において、ヘッドカバー９の全体と操作盤１２の裏面カバー１２Ａは、炭素繊維（Ｃ−ＦＲＰ）で作るのが好ましい。なぜなら、見映えが良く、高級感があり、傷がつきにくいからである。
【図５】
0003179056.tif 000003
【図６】
0003179056.tif 000004
【図９】
0003179056.tif 000005
【図１０】
0003179056.tif 000006
【図１】
0003179056.tif 000007
【図２】
0003179056.tif 000008
【図３】
0003179056.tif 000009
【図４】
0003179056.tif 000010
【図７】
0003179056.tif 000011
【図８】
0003179056.tif 000012